(57)【要約】      （修正有）【課題】衛生面に優れ、見た目もよく、トイレやユニットバス等に設置して好適な防水型の生理用品保管ケースを提供する。【解決手段】生理用品１０を収納し保管する保管室１１６が内部に形成されたケース本体１１０と、該ケース本体１１０の上面開口部１１５にヒンジ結合され同開口部１１５を開閉する開閉蓋と、ケース本体１１０の上面開口部１１５の内周面の段部１１７の上面に取り付けられたパッキン部材１１８と、開閉蓋をパッキン部材１１８と密着状態にして閉じるスライド式の押さえ部材１３０を備える。【選択図】図２
0003171806.tif 000002
【実用新案登録請求の範囲】
【請求項１】
生理用品を収納し保管する保管室が内部に形成されたケース本体と、ケース本体の上面開口部にヒンジ結合され同開口部を開閉する開閉蓋と、ケース本体の上面開口部の内周面の段部の上面に取り付けられたパッキン部材と、開閉蓋をパッキン部材と密着状態にして閉じるスライド式の押さえ部材を備えることを特徴とする防水型生理用品保管ケース。
【請求項２】
全体の立体形状が、側面視して略楕円形状および平面視して長方形または正方形形状であることを特徴とする請求項１記載の防水型生理用品保管ケース。
【請求項３】
ケース本体の上面開口部の左右内周面に開閉蓋を前後にスライドさせるガイド部が設けられ、開閉蓋をヒンジ結合する代わりに、開閉蓋の下面に前記ガイド部の前後に延びる上面溝部に係合する係合部が設けられていることを特徴とする請求項１または請求項２記載の防水型生理用品保管ケース。
【考案の詳細な説明】
【技術分野】
【０００１】
本考案は、防水性に優れかつ見た目や使い勝手にも優れた生理用品保管ケースに関するものである。
【背景技術】
【０００２】
従来、生理用品の保管場所は、室内の押入れやトイレ内にある棚などとされているが、トイレの棚に保管した状態では生理用品入れの袋が丸見えで見た目がよくなく、来訪者などがあると非常に気に掛るものであった。また、押入れやトイレや湿気がこもりやすく、特に、トイレとバスがユニット化されたユニットバスタイプのマンションやアパートの場合、生理用品をそのままユニットバスの棚に置いておくと、湿気や水滴の存在により衛生面で問題があった。
【０００３】
また、市販の生理用品は通常何十枚入りとされ、一人が使い切るのにおおよそ２〜３ヶ月を要する。その間、生理用品を清潔に保つ必要があるものの、上記のような場所は、湿気がこもりやすく、生理用品の保管に適する場所とは言い難かった。
【０００４】
トイレ内で生理用品を収納するケースとして、実用新案登録第３００２９３７号公報（特許文献１）に開示されたものや、実開平２−１３００３号公報（特許文献２）に開示されたものが知られている。
【先行技術文献】
【特許文献】
【０００５】
【特許文献１】実用新案登録第３００２９３７公報
【特許文献２】実開平２−１３００３号公報
【考案の概要】
【考案が解決しようとする課題】
【０００６】
しかしながら、いずれの収納ケースも、トイレ内で保管するにあたり、特に湿気等の衛生面を考慮したものではなく、また、見た目についても考慮したものではなかった。
【０００７】
本考案は、上記課題に鑑みてなされたもので、衛生面に優れ、見た目もよく、トイレやユニットバス等に設置して好適な防水型の生理用品保管ケースを提供することを目的としている。
【０００８】
また、使い勝手にも優れた生理用品保管ケースを提供することを目的とする。
【課題を解決するための手段】
【０００９】
上記課題を解決するために、本考案に係る生理用品保管ケースは、生理用品を収納し保管する保管室が内部に形成されたケース本体と、ケース本体の上面開口部にヒンジ結合され同開口部を開閉する開閉蓋と、ケース本体の上面開口部の内周面の段部の上面に取り付けられたパッキン部材と、開閉蓋をパッキン部材と密着状態にして閉じるスライド式の押さえ部材を備えることを主要な特徴とする。
【００１０】
本考案に係る生理用品保管ケースは、全体の立体形状が、側面視して略楕円形状および平面視して長方形または正方形形状であることを第２の特徴とする。
【００１１】
本考案に係る生理用品保管ケースは、ケース本体の上面開口部の左右内周面に開閉蓋を前後にスライドさせるガイド部が設けられ、開閉蓋をヒンジ結合する代わりに、開閉蓋の下面に前記ガイド部の前後に延びる上面溝部に係合する係合部が設けられていることを第３の特徴とする。
【考案の効果】
【００１２】
以上説明したように、本考案に係る生理用品保管ケースは、ケース本体内に生理用品を収納し、開閉蓋を閉じて押さえ部材により開閉蓋をロックすることにより、開閉蓋の内面とゴムパッキン部材が強く密着して、保管室内の防水性および気密性を高め、これにより、保管室内の生理用品を長期間衛生的に保管できるという優れた効果を奏する。
【００１３】
また、本考案に係る生理用品保管ケースは、ケース本体および開閉蓋を不透明な材料から構成することにより、ケース本体内の生理用品を外部から透けて見えなくすることができ、見た目がよく、安心してトイレ内に設置保管できる。さらには、開閉蓋を開けて中の生理用品を取り出せばよく、使い勝手が良好である。以上のことからトイレやユニットバス等に設置して好適な生理用品の保管ケースを実現できるという優れた効果を奏する。
【図面の簡単な説明】
【００１４】
【図１】本考案の生理用品保管ケースの斜視図、
【図２】図１に示す生理用品保管ケースの蓋を開けた状態を示す斜視図、
【図３】図１に示す生理用品保管ケースの側面図、
【図４】図１に示す生理用品保管ケースの平面図、
【図５】押え部材の構造を示すＡ−Ａ線断面図、
【図６】本考案の別の生理用品保管ケースで、蓋を開けた状態を示す側面図、
【図７】図６に示す生理用品保管ケースの平面図、
【図８】蓋のスライド機構を示す要部断面図である。
【考案を実施するための最良の形態】
【００１５】
以下、本考案の実施の形態を、図面を参照して説明する。
図１ないし図５は本考案の第１の実施形態を示すもので、図１において、符号１００は本考案に係る生理用品保管ケースを示している。
【００１６】
図１に示すように、生理用品保管ケース１００は、プラスチック製のケース本体１１０を備えている。ケース本体１１０は、略楕円形状の一対の側板部１１１と、前板部１１２と、背板部１１３と、底板部１１４を備え、上面には生理用品１０を出し入れする大きな開口部１１５が設けられている。ケース本体１１０の内部には、図２に示すように、生理用品１０を収納し保管する保管室１１６が形成されている。
【００１７】
ケース本体１１０の上面の開口部１１５には同開口部１１５を密閉するプラスチック製の開閉蓋１２０が取り付けられている。開口部１１５の前板部１１２寄りの側板部１１１１内面には左右一対のヒンジ軸１２１，１２１が取り付けられ、同ヒンジ軸１２１によって開閉蓋１２０の基端部１２０Ａがヒンジ結合されている。
【００１８】
開口部１１５の内周面には、図２に示すように、上面近くに段部１１７が周状に設けられ、この段部１１７の上面には、図２および図４に示すように、ゴムパッキン部材１１８が周状に取り付けられている。開閉蓋１２０を閉じ、後述の押さえ部材１３０で開閉蓋１２０の自由端１２０Ｂを上から押えると、開閉蓋１２０の内面とゴムパッキン部材１１８が強く密着し、保管室１１６内の防水性および気密性を確保できる。
【００１９】
ケース本体１１０および開閉蓋１２０は不透明とされ、開閉蓋１２０を閉じた状態では、保管室１１６内に収納保管した生理用品１０が外部から透けて見えないようになっている。例えば、赤色、黄色、青色、緑色などのカラーを着色してよい。また、保管室１１６内には空きスペースに除湿剤や芳香剤を置くことができるようになっている。
【００２０】
押さえ部材１３０は、開閉蓋１２０を閉じた状態をロック操作して、保管室１１６内の防水性および気密性を確保する一方、開閉蓋１２０を開ける際にロック状態を解除するもので、図５に示すように、押さえ部材１３０の下面に
断面Ｌ字型の左右一対の係合部１３１が設けられ、ケース本体１１０の背板部１１３側に各係合部１３１を抜出し不可かつ前後方向にスライド可能に保持するガイド部１３２が設けられている。
【００２１】
ガイド部１３２のガイド溝１３２Ａ内を係合部１３１が前後にスライド可能とされ、押さえ部材１３０を前方にスライドさせると、押さえ部材１３０の前部で開閉蓋１２０の自由端１２０Ｂを上から押さえ、押さえ部材１３０を後方にスライドさせると、開閉蓋１２０の自由端１２０Ｂのロック状態が解除されるようになっている。
【００２２】
本実施形態の生理用品保管ケース１００によると、ケース本体１１０内に生理用品１０を収納し、開閉蓋１２０を閉じて押さえ部材１３０により開閉蓋１２０をロックすることにより、開閉蓋１２０の内面とゴムパッキン部材１１８が強く密着することにより、保管室１１６内の防水性および気密性を高めて、保管室１１０内の生理用品１０を長期間衛生的に保管することができる。
【００２３】
また、ケース本体１１０および開閉蓋１２０は不透明のプラスチック製からなるから、ケース本体１１０内の生理用品１０が外部から透けて見えず、来訪者があったとしてもトイレ内に安心して設置保管することができる。保管ケース１００が全体として卵型の立体形状をしているから、見た目もよい。
【００２４】
さらに、生理用品を使用する際は、押さえ部材１３０を解除して開閉蓋１２０を開けてケース本体１１０内の生理用品１０を取り出せばよく、使い勝手がよい。ケース本体１１０内の空きスペースに除湿剤や芳香剤を収容できるので、中の生理用品１０を気持ちよく使用することができる。保管できる生理用品としては、ナプキン、タンポンその他が可能である。
【００２５】
図６ないし図８は本考案の第２の実施形態を示すもので、図６において、符号２００は本考案に係る別構造の生理用品保管ケースを示しており、第１の実施形態と同様に、全体形状が、側面視すると略楕円形状、平面視すると長方形形状となっている。なお、図１に示す部材と同一部材には同一符号を付してその説明は省略する。
【００２６】
生理用品保管ケース２００は、プラスチック製のケース本体２１０の上面の開口部２１１をスライド式の開閉蓋２２０で開閉するようになっている。
【００２７】
開口部２１１の内周面には、図７に示すように、上面近くに段状にガイド部２１２が左右に設けられ、各ガイド部２１２の上面に前後方向に延びるガイド溝２１２Ａが設けられている。左右のガイド部２１２の各ガイド溝２１２Ａに開閉蓋２２０の下面左右に設けられた係合部２２１が前後にスライド可能に係合され、開閉蓋２２０を前方にスライドさせると、開口部２１１が開き、開閉蓋２２０を後方にスライドさせると、開口部２１１が閉じるようになっている。
【００２８】
本実施形態の生理用品保管ケース２００によると、開閉蓋２２０を前後にスライドさせるだけで、開口部２１１を開閉でき、中の生理用品を取り出しやすく使い勝手がよい。ガイド部２１２はガイド溝２１２Ａを形成するにあたり、断面コ字型の鉤部２１２Ｂが形成され、この鉤部２１２Ｂに断面Ｌ字型の係合部２２１が係合する構造であるから、防水性を確保することができ、保管室２１３内に生理用品１０を長期間衛生的に保管することができる。
【００２９】
また、ケース本体２１０および開閉蓋２２０は不透明のプラスチック製からなるから、ケース本体２１０内の生理用品１０が外部から透けて見えず、トイレ内に安心して設置保管できること、ケース本体２１０内の空きスペースに除湿剤や芳香剤を収容できることは、前述の第１の実施形態で述べた内容と同様である。
【産業上の利用可能性】
【００３０】
本考案に係る防水型生理用品保管ケースは、生理用品を保管し取り出して使用する保管ケースとして、幅広く利用可能である。
【符号の説明】
【００３１】
１０  生理用品
１００，２００  生理用品保管ケース
１１０  ケース本体
１１１  側板部
１１２  前板部
１１３  背板部
１１４  底板部
１１５，２１１  開口部
１１６  保管室
１１７  段部
１１８  ゴムパッキン部材
１２０，２２０  開閉蓋
１２１  ヒンジ軸
１３０  押さえ部材
１３１，２２１  係合部
１３２，２１２  ガイド部
１３２Ａ，２１２Ａ  ガイド溝
２１２Ｂ  鉤部
【図１】
0003171806.tif 000003
【図２】
0003171806.tif 000004
【図３】
0003171806.tif 000005
【図４】
0003171806.tif 000006
【図５】
0003171806.tif 000007
【図６】
0003171806.tif 000008
【図７】
0003171806.tif 000009
【図８】
0003171806.tif 000010